(57)【要約】【課題】    本発明の目的は、使用勝手を向上させたマスクを提供するものである。【解決手段】    マスクＭは、平面視、矩形形状であるマスク本体１と、このマスク本体１の中央とマスク本体１の上端縁との間に設けられ、マスク本体１の上端縁に平行な折り目である表上折り目部１０と、右上接合部３０と左上接合部２０は交差しないように、右上接合部３０のマスク本体１の上端縁の部位Ｂと左上接合部２０のマスク本体１の上端縁の部位Ａとは、離間し、右下接合部５０と左下接合部４０は交差しないように、右下接合部５０のマスク本体１の下端縁の部位Ｃと左下接合部４０のマスク本体１の下端縁の部位Ｄとは、離間しているものである。【選択図】図１
2010063675.tif 000002
【特許請求の範囲】
【請求項１】
平面視、矩形形状であるマスク本体と、
このマスク本体の上端縁に連設され、前記上端縁で前記マスク本体の裏面側に折り返された第１の連設体と、
前記マスク本体の下端縁に連設され、前記下端縁で前記マスク本体の裏面側に折り返された第２の連設体と、
このマスク本体の中央と前記マスク本体の上端縁との間に設けられ、前記マスク本体の上端縁に平行な折り目である表上折り目部と、
前記マスク本体の上端縁の近傍から前記マスク本体の左端縁の近傍に至る前記第１の連設体と前記マスク本体とを接合する左上接合部と、
前記マスク本体の上端縁の近傍から前記マスク本体の右端縁の近傍に至る前記第１の連設体と前記マスク本体とを接合する右上接合部と、
前記マスク本体の下端縁の近傍から前記マスク本体の左端縁の近傍に至る前記第２の連設体と前記マスク本体とを接合する左下接合部と、
前記マスク本体の下端縁の近傍から前記マスク本体の右端縁の近傍に至る前記第２の連設体と前記マスク本体とを接合する右下接合部と、
前記右上接合部と前記左上接合部は交差しないように、前記右上接合部の前記マスク本体の上端縁の部位と前記左上接合部の前記マスク本体の上端縁の部位とは、離間し、
前記右下接合部と前記左下接合部は交差しないように、前記右下接合部の前記マスク本体の下端縁の部位と前記左下接合部の前記マスク本体の下端縁の部位とは、離間している
ことを特徴とするマスク。
【請求項２】
平面視、矩形形状であるマスク本体と、
このマスク本体の上端縁に連設され、前記上端縁で前記マスク本体の裏面側に折り返された第１の連設体と、
前記マスク本体の下端縁に連設され、前記下端縁で前記マスク本体の裏面側に折り返された第２の連設体と、
前記第１の連設体に設けられ、前記マスク本体の上端縁に平行な折り目である裏上折り目部と、
前記マスク本体の上端縁の近傍から前記マスク本体の左端縁の近傍に至る前記第１の連設体と前記マスク本体とを接合する左上接合部と、
前記マスク本体の上端縁の近傍から前記マスク本体の右端縁の近傍に至る前記第１の連設体と前記マスク本体とを接合する右上接合部と、
前記マスク本体の下端縁の近傍から前記マスク本体の左端縁の近傍に至る前記第２の連設体と前記マスク本体とを接合する左下接合部と、
前記マスク本体の下端縁の近傍から前記マスク本体の右端縁の近傍に至る前記第２の連設体と前記マスク本体とを接合する右下接合部と、
前記右上接合部と前記左上接合部は交差しないように、前記右上接合部の前記マスク本体の上端縁の部位と前記左上接合部の前記マスク本体の上端縁の部位とは、離間し、
前記右下接合部と前記左下接合部は交差しないように、前記右下接合部の前記マスク本体の下端縁の部位と前記左下接合部の前記マスク本体の下端縁の部位とは、離間している
ことを特徴とするマスク。
【請求項３】
平面視、矩形形状であるマスク本体と、
このマスク本体の上端縁に連設され、前記上端縁で前記マスク本体の裏面側に折り返された第１の連設体と、
前記マスク本体の下端縁に連設され、前記下端縁で前記マスク本体の裏面側に折り返された第２の連設体と、
前記マスク本体の中央と前記マスク本体の下端縁との間に設けられ、前記マスク本体の下端縁に平行な折り目である表下折り目部と、
前記マスク本体の上端縁の近傍から前記マスク本体の左端縁の近傍に至る前記第１の連設体と前記マスク本体とを接合する左上接合部と、
前記マスク本体の上端縁の近傍から前記マスク本体の右端縁の近傍に至る前記第１の連設体と前記マスク本体とを接合する右上接合部と、
前記マスク本体の下端縁の近傍から前記マスク本体の左端縁の近傍に至る前記第２の連設体と前記マスク本体とを接合する左下接合部と、
前記マスク本体の下端縁の近傍から前記マスク本体の右端縁の近傍に至る前記第２の連設体と前記マスク本体とを接合する右下接合部と、
前記右上接合部と前記左上接合部は交差しないように、前記右上接合部の前記マスク本体の上端縁の部位と前記左上接合部の前記マスク本体の上端縁の部位とは、離間し、
前記右下接合部と前記左下接合部は交差しないように、前記右下接合部の前記マスク本体の下端縁の部位と前記左下接合部の前記マスク本体の下端縁の部位とは、離間している
ことを特徴とするマスク。
【請求項４】
平面視、矩形形状であるマスク本体と、
このマスク本体の上端縁に連設され、前記上端縁で前記マスク本体の裏面側に折り返された第１の連設体と、
前記マスク本体の下端縁に連設され、前記下端縁で前記マスク本体の裏面側に折り返された第２の連設体と、
この第２の連設体に設けられ、前記マスク本体の上端縁に平行な折り目である裏下折り目部と、
前記マスク本体の上端縁の近傍から前記マスク本体の左端縁の近傍に至る前記第１の連設体と前記マスク本体とを接合する左上接合部と、
前記マスク本体の上端縁の近傍から前記マスク本体の右端縁の近傍に至る前記第１の連設体と前記マスク本体とを接合する右上接合部と、
前記マスク本体の下端縁の近傍から前記マスク本体の左端縁の近傍に至る前記第２の連設体と前記マスク本体とを接合する左下接合部と、
前記マスク本体の下端縁の近傍から前記マスク本体の右端縁の近傍に至る前記第２の連設体と前記マスク本体とを接合する右下接合部と、
前記右上接合部と前記左上接合部は交差しないように、前記右上接合部の前記マスク本体の上端縁の部位と前記左上接合部の前記マスク本体の上端縁の部位とは、離間し、
前記右下接合部と前記左下接合部は交差しないように、前記右下接合部の前記マスク本体の下端縁の部位と前記左下接合部の前記マスク本体の下端縁の部位とは、離間している
ことを特徴とするマスク。
【請求項５】
第１の連設体の裏面の縁部又は前記第１の連設体の表面の縁部に、弾性部材を設けたことを特徴とする請求項１〜４のいずれかのマスク。
【発明の詳細な説明】
【技術分野】
【０００１】
本発明は、マスクに係り、特に、使用勝手を向上させたマスクに関する。
【０００２】
従来、鼻及び口の周囲を広く覆い、顔との間に十分な空間を形成したマスクがある（例えば、特許文献１参照）。
【特許文献１】特開２００７−１５９７８４号公報
【発明の開示】
【発明が解決しようとする課題】
【０００３】
このマスクにあっては、鼻及び口の周囲を更に広く覆うためには、平面視、矩形形状であるマスク本体を大きい形状にしなければならず、使用勝手が良好でないという問題点があった。 
【０００４】
本発明は、上記の問題点を除去するようにしたマスクを提供することを目的とする。
【課題を解決するための手段】
【０００５】
本発明のマスクは、平面視、矩形形状であるマスク本体と、このマスク本体の上端縁に連設され、前記上端縁で前記マスク本体の裏面側に折り返された第１の連設体と、前記マスク本体の下端縁に連設され、前記下端縁で前記マスク本体の裏面側に折り返された第２の連設体と、このマスク本体の中央と前記マスク本体の上端縁との間に設けられ、前記マスク本体の上端縁に平行な折り目である表上折り目部と、前記マスク本体の上端縁の近傍から前記マスク本体の左端縁の近傍に至る前記第１の連設体と前記マスク本体とを接合する左上接合部と、前記マスク本体の上端縁の近傍から前記マスク本体の右端縁の近傍に至る前記第１の連設体と前記マスク本体とを接合する右上接合部と、前記マスク本体の下端縁の近傍から前記マスク本体の左端縁の近傍に至る前記第２の連設体と前記マスク本体とを接合する左下接合部と、前記マスク本体の下端縁の近傍から前記マスク本体の右端縁の近傍に至る前記第２の連設体と前記マスク本体とを接合する右下接合部と、前記右上接合部と前記左上接合部は交差しないように、前記右上接合部の前記マスク本体の上端縁の部位と前記左上接合部の前記マスク本体の上端縁の部位とは、離間し、前記右下接合部と前記左下接合部は交差しないように、前記右下接合部の前記マスク本体の下端縁の部位と前記左下接合部の前記マスク本体の下端縁の部位とは、離間しているものである。
【０００６】
また、請求項２記載のマスクは、平面視、矩形形状であるマスク本体と、このマスク本体の上端縁に連設され、前記上端縁で前記マスク本体の裏面側に折り返された第１の連設体と、前記マスク本体の下端縁に連設され、前記下端縁で前記マスク本体の裏面側に折り返された第２の連設体と、前記第１の連設体に設けられ、前記マスク本体の上端縁に平行な折り目である裏上折り目部と、前記マスク本体の上端縁の近傍から前記マスク本体の左端縁の近傍に至る前記第１の連設体と前記マスク本体とを接合する左上接合部と、前記マスク本体の上端縁の近傍から前記マスク本体の右端縁の近傍に至る前記第１の連設体と前記マスク本体とを接合する右上接合部と、前記マスク本体の下端縁の近傍から前記マスク本体の左端縁の近傍に至る前記第２の連設体と前記マスク本体とを接合する左下接合部と、前記マスク本体の下端縁の近傍から前記マスク本体の右端縁の近傍に至る前記第２の連設体と前記マスク本体とを接合する右下接合部と、前記右上接合部と前記左上接合部は交差しないように、前記右上接合部の前記マスク本体の上端縁の部位と前記左上接合部の前記マスク本体の上端縁の部位とは、離間し、前記右下接合部と前記左下接合部は交差しないように、前記右下接合部の前記マスク本体の下端縁の部位と前記左下接合部の前記マスク本体の下端縁の部位とは、離間しているものである。
【０００７】
また、請求項３記載のマスクは、平面視、矩形形状であるマスク本体と、このマスク本体の上端縁に連設され、前記上端縁で前記マスク本体の裏面側に折り返された第１の連設体と、前記マスク本体の下端縁に連設され、前記下端縁で前記マスク本体の裏面側に折り返された第２の連設体と、前記マスク本体の中央と前記マスク本体の下端縁との間に設けられ、前記マスク本体の下端縁に平行な折り目である表下折り目部と、前記マスク本体の上端縁の近傍から前記マスク本体の左端縁の近傍に至る前記第１の連設体と前記マスク本体とを接合する左上接合部と、前記マスク本体の上端縁の近傍から前記マスク本体の右端縁の近傍に至る前記第１の連設体と前記マスク本体とを接合する右上接合部と、前記マスク本体の下端縁の近傍から前記マスク本体の左端縁の近傍に至る前記第２の連設体と前記マスク本体とを接合する左下接合部と、前記マスク本体の下端縁の近傍から前記マスク本体の右端縁の近傍に至る前記第２の連設体と前記マスク本体とを接合する右下接合部と、前記右上接合部と前記左上接合部は交差しないように、前記右上接合部の前記マスク本体の上端縁の部位と前記左上接合部の前記マスク本体の上端縁の部位とは、離間し、前記右下接合部と前記左下接合部は交差しないように、前記右下接合部の前記マスク本体の下端縁の部位と前記左下接合部の前記マスク本体の下端縁の部位とは、離間しているものである。
【０００８】
また、請求項４記載のマスクは、平面視、矩形形状であるマスク本体と、このマスク本体の上端縁に連設され、前記上端縁で前記マスク本体の裏面側に折り返された第１の連設体と、前記マスク本体の下端縁に連設され、前記下端縁で前記マスク本体の裏面側に折り返された第２の連設体と、この第２の連設体に設けられ、前記マスク本体の上端縁に平行な折り目である裏下折り目部と、前記マスク本体の上端縁の近傍から前記マスク本体の左端縁の近傍に至る前記第１の連設体と前記マスク本体とを接合する左上接合部と、前記マスク本体の上端縁の近傍から前記マスク本体の右端縁の近傍に至る前記第１の連設体と前記マスク本体とを接合する右上接合部と、前記マスク本体の下端縁の近傍から前記マスク本体の左端縁の近傍に至る前記第２の連設体と前記マスク本体とを接合する左下接合部と、前記マスク本体の下端縁の近傍から前記マスク本体の右端縁の近傍に至る前記第２の連設体と前記マスク本体とを接合する右下接合部と、前記右上接合部と前記左上接合部は交差しないように、前記右上接合部の前記マスク本体の上端縁の部位と前記左上接合部の前記マスク本体の上端縁の部位とは、離間し、前記右下接合部と前記左下接合部は交差しないように、前記右下接合部の前記マスク本体の下端縁の部位と前記左下接合部の前記マスク本体の下端縁の部位とは、離間しているものである。
【０００９】
また、請求項５記載のマスクは、請求項１〜４のいずれかのマスクにおいて、第１の連設体の裏面の縁部又は前記第１の連設体の表面の縁部に、弾性部材を設けたものである。
【発明の効果】
【００１０】
請求項１記載のマスクによれば、マスク装着時、左上接合部、右上接合部、左下接合部、右下接合部により、口の外側を凸状に覆うと共に、表上折り目部が広がるため、マスク本体の平面視の形状を大きくすることなく、装着時の微調整を行うことができ、使用勝手を向上させることができる。
【００１１】
また、請求項２記載のマスクによれば、マスク装着時、左上接合部、右上接合部、左下接合部、右下接合部により、口の外側を凸状に覆うと共に、裏上折り目部が広がるため、マスク本体の平面視の形状を大きくすることなく、装着時の微調整を行うことができ、使用勝手を向上させることができる。
【００１２】
また、請求項３記載のマスクによれば、マスク装着時、左上接合部、右上接合部、左下接合部、右下接合部により、口の外側を凸状に覆うと共に、表下折り目部が広がるため、マスク本体の平面視の形状を大きくすることなく、装着時の微調整を行うことができ、使用勝手を向上させることができる。
【００１３】
また、請求項４記載のマスクによれば、マスク装着時、左上接合部、右上接合部、左下接合部、右下接合部により、口の外側を凸状に覆うと共に、裏下折り目部が広がるため、マスク本体の平面視の形状を大きくすることなく、装着時の微調整を行うことができ、使用勝手を向上させることができる。
【００１４】
また、請求項５記載のマスクによれば、上述した請求項１〜４記載の発明の効果に加え、弾性部材を顔面に当接させて、装着時のマスクの移動を防ぐと共に、呼気の漏れをも防止して、眼鏡のレンズの曇り止めの機能をも付加することができる。
【発明を実施するための最良の形態】
【００１５】
本発明の一実施例のマスクを図面を参照して説明する。
（実施例１）
図１に示すＭはマスクで、マスクＭは、平面視、矩形形状であるマスク本体１と、このマスク本体１の上端縁に連設され、前記上端縁でマスク本体１の裏面側に折り返された第１の連設体２と、マスク本体１の下端縁に連設され、前記下端縁でマスク本体１の裏面側に折り返された第２の連設体３とを備えている（図１乃至図５参照）。
マスク本体１の裏側から見て左側部に左耳掛け部４が、右側部に右耳掛け部５が、それぞれ設けられている。図４に示す６は、マスク装着時、マスク本体１を凸形状に保持するプラスチックで形成された弾性部材であり、７は、ノーズクランプである。
【００１６】
図１に示す１０は、マスク本体１の中央の部位とマスク本体１の上端縁との間に設けられ、マスク本体１の上端縁に平行な折り目である表上折り目部である。
また、２０は、マスク本体１の上端縁からマスク本体１の左端縁に至る第１の連設体２とマスク本体１とを接合する左上接合部である。
また、３０は、マスク本体１の上端縁からマスク本体１の右端縁に至る第１の連設体２とマスク本体１とを接合する右上接合部である。
また、４０は、マスク本体１の下端縁からマスク本体１の左端縁に至る第２の連設体３とマスク本体１とを接合する左下接合部である。
また、５０は、マスク本体１の下端縁からマスク本体１の右端縁に至る第２の連設体３とマスク本体１とを接合する右下接合部である。これら左上接合部２０、右上接合部３０、左下接合部４０、右下接合部５０は、例えば、超音波による融着、接着剤、縫製等に
より接合されて形成される。
そして、図１に示すように、右上接合部３０と左上接合部２０は交差しないように、右上接合部３０のマスク本体１の上端縁の部位Ａと左上接合部２０のマスク本体１の上端縁の部位Ｂとは、離間し、また、右下接合部５０と左下接合部４０は交差しないように、右下接合部のマスク本体１の下端縁の部位Ｃと左下接合部４０のマスク本体１の下端縁の部位Ｄとは、離間している。
【００１７】
従って、図３に示すように、第１の連設体２と第２の連設体３が離間するように広げて装着すれば、マスクＭの装着時、左上接合部２０、右上接合部３０、左下接合部４０、右下接合部５０により、口の外側を凸状に覆うと共に、表上折り目部１０が広がるため、マスク本体１の平面視の形状を大きくすることなく、装着時の微調整を行うことができ、使用勝手を向上させるマスクＭを得ることができる。
【００１８】
（実施例２）
上述した実施例１においては、マスク本体１に折り目を形成した「表上折り目部１０」としたが、本願発明にあっては、これに限らず、折り目を第１の連設体２に設けるようにしても良い（図６乃至図８参照）。
即ち、上述した実施例１と同一部分に同一符号を付して説明すると、１は平面視、矩形形状であるマスク本体で、２はマスク本体１の上端縁に連設され、前記上端縁でマスク本体１の裏面側に折り返された第１の連設体で、３はマスク本体１の下端縁に連設され、前記下端縁でマスク本体１の裏面側に折り返された第２の連設体で、これらマスク本体１、第１の連設体２，第２の連設体３、左耳掛け部４、右耳掛け部５でマスクＭが構成される。
６０は、第１の連設体２に設けられ、マスク本体１の上端縁に平行な折り目である裏上折り目部である。そして、上述した実施例１と同様に、２０は、マスク本体１の上端縁からマスク本体１の左端縁に至る第１の連設体２とマスク本体１とを接合する左上接合部で、３０は、マスク本体１の上端縁からマスク本体１の右端縁に至る第１の連設体２とマスク本体１とを接合する右上接合部で、４０は、マスク本体１の下端縁からマスク本体１の左端縁に至る第２の連設体３とマスク本体１とを接合する左下接合部で、５０は、マスク本体１の下端縁からマスク本体１の右端縁に至る第２の連設体３とマスク本体１とを接合する右下接合部である。
そして、右上接合部３０と左上接合部２０は交差しないように、右上接合部３０のマスク本体１の上端縁の部位Ｂと左上接合部２０のマスク本体１の上端縁の部位Ａとは、離間し、右下接合部５０と左下接合部４０は交差しないように、右下接合部５０のマスク本体１の下端縁の部位Ｃと左下接合部４０のマスク本体１の下端縁の部位Ｄとは、離間している。
従って、第１の連設体２と第２の連設体３が離間するように広げて装着すれば、マスクＭの装着時、左上接合部２０、右上接合部３０、左下接合部４０、右下接合部５０により、口の外側を凸状に覆うと共に、裏上折り目部６０が広がるため、マスク本体１の平面視の形状を大きくすることなく、装着時の微調整を行うことができ、使用勝手を向上させるマスクＭを得ることができる。
【００１９】
（実施例３）
上述した実施例１においては、マスク本体１の上部側に折り目を形成した「表上折り目部１０」としたが、本願発明にあっては、これに限らず、折り目をマスク本体１の下部側に設けるようにしても良い（図９乃至図１１参照）。
即ち、上述した実施例１と同一部分に同一符号を付して説明すると、１は平面視、矩形形状であるマスク本体で、２はマスク本体１の上端縁に連設され、前記上端縁でマスク本体１の裏面側に折り返された第１の連設体で、３はマスク本体１の下端縁に連設され、前記下端縁でマスク本体１の裏面側に折り返された第２の連設体で、これらマスク本体１、第１の連設体２、第２の連設体３、左耳掛け部４、右耳掛け部５でマスクＭが構成される。
７０は、マスク本体１の中央とマスク本体１の下端縁との間に設けられ、マスク本体１の下端縁に平行な折り目である表下折り目部である。そして、上述した実施例１と同様に、２０は、マスク本体１の上端縁からマスク本体１の左端縁に至る第１の連設体２とマスク本体１とを接合する左上接合部で、３０は、マスク本体１の上端縁からマスク本体１の右端縁に至る第１の連設体２とマスク本体１とを接合する右上接合部で、４０は、マスク本体１の下端縁からマスク本体１の左端縁に至る第２の連設体３とマスク本体１とを接合する左下接合部で、５０は、マスク本体１の下端縁からマスク本体１の右端縁に至る第２の連設体３とマスク本体１とを接合する右下接合部である。
そして、右上接合部３０と左上接合部２０は交差しないように、右上接合部３０のマスク本体１の上端縁の部位Ｂと左上接合部２０のマスク本体１の上端縁の部位Ａとは、離間し、右下接合部５０と左下接合部４０は交差しないように、右下接合部５０のマスク本体１の下端縁の部位Ｃと左下接合部４０のマスク本体１の下端縁の部位Ｄとは、離間している。
従って、第１の連設体２と第２の連設体３が離間するように広げて装着すれば、マスクＭの装着時、左上接合部２０、右上接合部３０、左下接合部４０、右下接合部５０により、口の外側を凸状に覆うと共に、表下折り目部７０が広がるため、マスク本体１の平面視の形状を大きくすることなく、装着時の微調整を行うことができ、使用勝手を向上させるマスクＭを得ることができる。
【００２０】
（実施例４）
上述した実施例１においては、マスク本体１の上部側に折り目を「表上折り目部１０」、マスク本体１の下部側に折り目を「表下折り目部７０」と個別にそれぞれ形成したが、図１２乃至図１４に示すように、マスク本体１の上部側に「表上折り目部１０」、マスク本体１の下部側に「表下折り目部７０」を設けるようにしても良い（図１２乃至図１４参照）。
なお、実施例４においては、図１２乃至図１４に実施例１、実施例３と同一部分に同一符号を付して、その説明を省略する。
【００２１】
（実施例５）
上述した実施例１においては、マスク本体１の上部側に折り目を形成した「表上折り目部１０」としたが、本願発明にあっては、これに限らず、折り目をマスク本体１の下部側に設けるようにしても良い（図１５乃至図１７参照）。
即ち、上述した実施例２と同一部分に同一符号を付して説明すると、本実施例においては、１は平面視、矩形形状であるマスク本体で、２はマスク本体１の上端縁に連設され、前記上端縁でマスク本体１の裏面側に折り返された第１の連設体で、３はマスク本体１の下端縁に連設され、前記下端縁でマスク本体１の裏面側に折り返された第２の連設体で、これらマスク本体１、第１の連設体２、第２の連設体３、左耳掛け部４、右耳掛け部５でマスクＭが構成される。
６０は、第１の連設体２に設けられ、マスク本体１の上端縁に平行な折り目である裏上折り目部で、８０は、第２の連設体３に設けられ、マスク本体１の上端縁に平行な折り目である裏下折り目部である。そして、上述した実施例２と同様に、２０は、マスク本体１の上端縁からマスク本体１の左端縁に至る第１の連設体２とマスク本体１とを接合する左上接合部で、３０は、マスク本体１の上端縁からマスク本体１の右端縁に至る第１の連設体２とマスク本体１とを接合する右上接合部で、４０は、マスク本体１の下端縁からマスク本体１の左端縁に至る第２の連設体３とマスク本体１とを接合する左下接合部で、５０は、マスク本体１の下端縁からマスク本体１の右端縁に至る第２の連設体３とマスク本体１とを接合する右下接合部である。
そして、右上接合部３０と左上接合部２０は交差しないように、右上接合部３０のマスク本体１の上端縁の部位Ｂと左上接合部２０のマスク本体１の上端縁の部位Ａとは、離間し、右下接合部５０と左下接合部４０は交差しないように、右下接合部５０のマスク本体１の下端縁の部位Ｃと左下接合部４０のマスク本体１の下端縁の部位Ｄとは、離間している。
従って、第１の連設体２と第２の連設体３が離間するように広げて装着すれば、マスクＭの装着時、左上接合部２０、右上接合部３０、左下接合部４０、右下接合部５０により、口の外側を凸状に覆うと共に、裏上折り目部６０及び裏下折り目部８０（場合により裏上折り目部６０を省略し、裏下折り目部８０のみでも良い。）が広がるため、マスク本体１の平面視の形状を大きくすることなく、装着時の微調整を行うことができ、使用勝手を向上させるマスクＭを得ることができる。
【００２２】
（実施例６）
なお、マスクＭの第１の連設体２の裏面の縁部（図２０参照）又は第１の連設体２の表面の縁部（図２５及び図２６参照）に、弾性部材（例えば、ウレタンフォーム）１００を設けて、弾性部材（例えば、ウレタンフォーム）１００を顔面に当接させて、装着時のマスクＭの移動を防ぐと共に、呼気の漏れをも防止して、眼鏡のレンズの曇り止めの機能をも付加することができる。
即ち、マスクＭは、上述の実施と同様に、平面視、矩形形状であるマスク本体１と、このマスク本体１の上端縁に連設され、前記上端縁でマスク本体１の裏面側に折り返された第１の連設体２と、マスク本体１の下端縁に連設され、前記下端縁でマスク本体１の裏面側に折り返された第２の連設体３とを備えている（図１８乃至図２２参照）。
２０は、マスク本体１の上端縁の近傍からマスク本体１の左端縁の近傍に至る第１の連設体２とマスク本体１とを接合する左上接合部で、３０は、マスク本体１の上端縁の近傍からマスク本体１の右端縁の近傍に至る第１の連設体２とマスク本体１とを接合する右上接合部で、４０は、マスク本体１の下端縁の近傍からマスク本体１の左端縁の近傍に至る第２の連設体３とマスク本体１とを接合する左下接合部で、５０は、マスク本体１の下端縁の近傍からマスク本体１の右端縁の近傍に至る第２の連設体３とマスク本体１とを接合する右下接合部である。
６０は、第１の連設体２に設けられ、マスク本体１の上端縁に平行な折り目である裏上折り目部である。
そして、図１８に示すように、右上接合部３０と左上接合部２０は交差しないように、右上接合部３０のマスク本体１の上端縁の近傍である部位Ａ’と左上接合部２０のマスク本体１の上端縁の近傍である部位Ｂ’とは、離間し、また、右下接合部５０と左下接合部４０は交差しないように、右下接合部のマスク本体１の下端縁の近傍である部位Ｃ’と左下接合部４０のマスク本体１の下端縁の近傍である部位Ｄ’とは、離間している。
また、２００は、マスク本体１の部位Ａ’からマスク本体１の部位Ｂ’に至る第１の連設体２とマスク本体１とを接合する上接合部で、３００は、マスク本体１の部位Ｃ’からマスク本体１の部位Ｄ’に至る第１の連設体２とマスク本体１とを接合する下接合部で
ある。これら左上接合部２０、右上接合部３０、左下接合部４０、右下接合部５０、上接合部２００、下接合部３００は、例えば、超音波による融着、接着剤、縫製等により接合されて形成される。
また、１００は、第１の連設体２の裏面の縁部（図２４参照）に設けた弾性部材（例えば、ウレタンフォーム）で、弾性部材（例えば、ウレタンフォーム）１００を顔面に当接させて（図２２参照）、装着時のマスクＭの移動を防ぐと共に、呼気の漏れをも防止して、眼鏡のレンズの曇り止めの機能をも付加することができる。
【００２３】
（実施例７）
また、上述の実施例６のマスクＭに設けた弾性部材（例えば、ウレタンフォーム）１００は、第１の連設体２の裏面の縁部（図２０参照）に位置しているが、本願発明は、これに限らず、弾性部材（例えば、ウレタンフォーム）１００を第１の連設体２の表面の縁部に位置させても良い（図２３乃至図２７参照）。
なお、弾性部材（例えば、ウレタンフォーム）１００を第１の連設体２の表面の縁部に設けた場合、弾性部材（例えば、ウレタンフォーム）１００を折り返すようにして、顔面に当接するようにする（図２６及び図２７参照）。
かかる場合、図２８に示すように、弾性部材（例えば、ウレタンフォーム）１００の折り返しの利便性を図るために、弾性部材（例えば、ウレタンフォーム）１００の両側に切り込み１００ａ、１００ａを設けると良い。
【００２４】
なお、第１の連設体２の裏面の縁部（図２０参照）又は第１の連設体２の表面の縁部（図２５及び図２６参照）に、弾性部材（例えば、ウレタンフォーム）１００を設けた例として、裏上折り目部６０を設けたマスクＭを示したが、本願発明は、これに限らず、表上折り目部１０を設けたマスクＭ（実施例１）、表下折り目部７０を設けたマスクＭ（実施例３）、裏下折り目部８０を設けたマスクＭ（実施例５）にも同様に適用することができる。
【００２５】
なお、上述した実施例１〜５においては、左上接合部２０は、マスク本体１の上端縁からマスク本体１の左端縁に至る第１の連設体２とマスク本体１とを接合し、また、右上接合部３０は、マスク本体１の上端縁からマスク本体１の右端縁に至る第１の連設体２とマスク本体１とを接合し、また、左下接合部４０は、マスク本体１の下端縁からマスク本体１の左端縁に至る第２の連設体３とマスク本体１とを接合し、また、右下接合部５０は、マスク本体１の下端縁からマスク本体１の右端縁に至る第２の連設体３とマスク本体１とを接合するようにしたが、
図１８〜図２８に示すように、左上接合部２０を、マスク本体１の上端縁の近傍からマスク本体１の左端縁の近傍に至る第１の連設体２とマスク本体１とを接合し、
右上接合部３０を、マスク本体１の上端縁の近傍からマスク本体１の右端縁の近傍に至る第１の連設体２とマスク本体１とを接合し、
左下接合部４０を、マスク本体１の下端縁の近傍からマスク本体１の左端縁の近傍に至る第２の連設体３とマスク本体１とを接合し、
右下接合部５０を、マスク本体１の下端縁の近傍からマスク本体１の右端縁の近傍に至る第２の連設体３とマスク本体１とを接合するようにしても良い。
【図面の簡単な説明】
【００２６】
【図１】図１は、本発明の一実施例のマスクの概略的正面図である。
【図２】図２は、図１の概略的背面図である。
【図３】図３は、図２のマスクを裏面側（装着側）から、装着するために広げた状態の概略的図である。
【図４】図４は、図１の４−４線による概略的拡大断面図である。
【図５】図５は、図１のマスクを装着した状態の概略的正面図である。
【図６】図６は、図１のマスクと異なる他の実施例のマスクの概略的正面図である。
【図７】図７は、図６の概略的背面図である。
【図８】図８は、図６の８−８線による概略的拡大断面図である。
【図９】図９は、図６のマスクと異なる他の実施例のマスクの概略的正面図である。
【図１０】図１０は、図９の概略的背面図である。
【図１１】図１１は、図９の１１−１１線による概略的拡大断面図である。
【図１２】図１２は、図９のマスクと異なる他の実施例のマスクの概略的正面図である。
【図１３】図１３は、図１２の概略的背面図である。
【図１４】図１４は、図１２の１４−１４線による概略的拡大断面図である。
【図１５】図１５は、図１２のマスクと異なる他の実施例のマスクの概略的正面図である。
【図１６】図１６は、図１５の概略的背面図である。
【図１７】図１７は、図１５の１７−１７線による概略的拡大断面図である。
【図１８】図１８は、図１５のマスクと異なる他の実施例のマスクの概略的正面図である。
【図１９】図１９は、図１８の概略的背面図である。
【図２０】図２０は、図１８の２０−２０線による概略的拡大断面図である。
【図２１】図２１は、図１９のマスクの装着を広げた状態の概略的背面図である。
【図２２】図２２は、図１８のマスクの装着状態の概略的断面図である。
【図２３】図２３は、図１８のマスクと異なる他の実施例のマスクの概略的正面図である。
【図２４】図２４は、図２３の概略的背面図である。
【図２５】図２５は、図２３の２５−２５線による概略的拡大断面図である。
【図２６】図２６は、図２４のマスクの装着を広げた状態の概略的背面図である。
【図２７】図２７は、図２６のマスクの装着状態の概略的断面図である。
【図２８】図２８は、図２６のマスクと異なる他のマスクの装着を広げた状態の概略的背面図である。
【符号の説明】
【００２７】
Ｍ        マスク
１        マスク本体
Ａ        左上接合部のマスク本体の上端縁の部位
Ｂ        右上接合部のマスク本体の上端縁の部位
Ｃ        右下接合部のマスク本体の下端縁の部位
Ｄ        左下接合部のマスク本体の下端縁の部位
１０      表上折り目部
２０      左上接合部
３０      右上接合部
４０      左下接合部
５０      右下接合部
【図１】
2010063675.tif 000003
【図２】
2010063675.tif 000004
【図３】
2010063675.tif 000005
【図４】
2010063675.tif 000006
【図５】
2010063675.tif 000007
【図６】
2010063675.tif 000008
【図７】
2010063675.tif 000009
【図８】
2010063675.tif 000010
【図９】
2010063675.tif 000011
【図１０】
2010063675.tif 000012
【図１１】
2010063675.tif 000013
【図１２】
2010063675.tif 000014
【図１３】
2010063675.tif 000015
【図１４】
2010063675.tif 000016
【図１５】
2010063675.tif 000017
【図１６】
2010063675.tif 000018
【図１７】
2010063675.tif 000019
【図１８】
2010063675.tif 000020
【図１９】
2010063675.tif 000021
【図２０】
2010063675.tif 000022
【図２１】
2010063675.tif 000023
【図２２】
2010063675.tif 000024
【図２３】
2010063675.tif 000025
【図２４】
2010063675.tif 000026
【図２５】
2010063675.tif 000027
【図２６】
2010063675.tif 000028
【図２７】
2010063675.tif 000029
【図２８】
2010063675.tif 000030